【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
紫外（ＵＶ）線を発光するように構成され、少なくとも２つの間隔を置いた接点を有する発光デバイスと、
（ｉ）少なくともパッケージの一部が前記発光デバイスの下に配置され、（ｉｉ）前記発光デバイスの接点が、前記パッケージに電気的に接続され、および、（ｉｉｉ）前記発光デバイスが、前記パッケージの一部に機械的に取り付けられた前記パッケージと、
前記パッケージの上に配置され、および少なくとも部分的に前記発光デバイスを囲むカプセル材料と、
前記発光デバイスと前記カプセル材料との間に配置され、前記発光デバイスによって発光する紫外線が前記カプセル材料に入ることを実質的に防止するように構成されるバリア層と
を含む照明装置。
【請求項２】
前記バリア層が前記発光デバイスに隣接して配置される第２のカプセル材料を含む、請求項１に記載の照明装置。
【請求項３】
前記第２のカプセル材料が前記発光デバイスによって発光される紫外線に対して不透過である、請求項２に記載の照明装置。
【請求項４】
前記カプセル材料が、前記発光デバイスによって発光される紫外線を実質的に透過する、請求項３に記載の照明装置。
【請求項５】
前記カプセル材料が、前記発光デバイスによって発光される紫外線に対して不透過である、請求項３に記載の照明装置。
【請求項６】
前記カプセル材料および第２のカプセル材料が同一材料を含む、請求項５に記載の照明装置。
【請求項７】
前記第２のカプセル材料の範囲内に紫外線が浸透する長さが２５μｍ未満である、請求項３に記載の照明装置。
【請求項８】
前記第２のカプセル材料の範囲内に紫外線が浸透する長さが１０μｍ未満である、請求項３に記載の照明装置。
【請求項９】
前記カプセル材料の範囲内に紫外線が浸透する長さが１００μｍ以上である、請求項１に記載の照明装置。
【請求項１０】
前記バリア層が前記発光デバイスによって発光される紫外線に対して反射する材料を含む、請求項１に記載の照明装置。
【請求項１１】
前記バリア層がアルミニウムを含む、請求項１０に記載の照明装置。
【請求項１２】
少なくとも前記カプセル材料の一部が前記発光デバイスによって発光される紫外線を実質的に透過する、請求項１０に記載の照明装置。
【請求項１３】
少なくとも前記カプセル材料の一部が前記発光デバイスによって発光される紫外線に対して不透過である、請求項１０に記載の照明装置。
【請求項１４】
前記発光デバイスによって発光される紫外線が、２６５ｎｍ以下の波長を有する、請求項１に記載の照明装置。
【請求項１５】
前記パッケージが、（ｉ）発光デバイスの接点が電気的および機械的に接続されるサブマウントと、（ｉｉ）サブマウントの下に配置され、表面実装型デバイス（ＳＭＤ）パッケージと、前記ＳＭＤパッケージに電気的に接続されるサブマウントの下に配置されると、を含む、請求項１に記載の照明装置。
【請求項１６】
サブマウントが１つ以上のワイヤー接合を介して前記ＳＭＤパッケージに電気的に接続される、請求項１５に記載の照明装置。
【請求項１７】
前記発光デバイスより上において、少なくとも部分的に前記カプセル材料から突き出すように配置された固い無機レンズをさらに含む、請求項１に記載の照明装置。
【請求項１８】
前記レンズが、石英、溶融シリカまたはサファイヤの少なくとも一つを含む、請求項１７に記載の照明装置。
【請求項１９】
前記カプセル材料の上面が、少なくとも０．０５ｍｍだけ前記レンズの底面より上に配置される、請求項１７に記載の照明装置
【請求項２０】
少なくとも前記カプセル材料の一部が、前記発光デバイスに向けて前記レンズ上に下向きの力を加える、請求項１７に記載の照明装置。
【請求項２１】
前記下向きの力の大きさが０．１Ｎより大である、請求項２０に記載の照明装置。
【請求項２２】
前記レンズおよび前記発光デバイスとの間に配置される、薄いインタフェース材料をさらに含む、請求項１７に記載の照明装置。
【請求項２３】
前記インタフェース材料が５μｍ未満の厚みを有する、請求項２２に記載の照明装置。
【請求項２４】
前記インタフェース材料がシリコーンを含む、請求項２２に記載の照明装置。
【請求項２５】
少なくとも前記カプセル材料の一部が前記発光デバイスに向けて前記レンズ上に下向きの力を加える、請求項２２に記載の照明装置。
【請求項２６】
前記下向きの力の大きさが０．１Ｎより大である、請求項２５に記載の照明装置。
【請求項２７】
前記発光デバイスが発光ダイオードを含む、請求項１に記載の照明装置。
【請求項２８】
前記カプセル材料が熱収縮性の材料を含む、請求項１に記載の照明装置。
【請求項２９】
前記カプセル材料が、ポリテトラフルオロエチレン、ポリエーテルエーテルケトンまたはパーフルオロ・アルコキシ・アルカンの少なくとも一つの樹脂を含む、請求項１に記載の照明装置。
【請求項３０】
前記カプセル材料がエポキシ樹脂を含む、請求項１に記載の照明装置。
【請求項３１】
発光デバイスに電力を供給し、それによって前記発光デバイスに紫外線を発させるステップと、
その間に、前記発光デバイスによって発光される紫外線が前記カプセル材料に入ることを実質的に防止するステップと
を含む、前記カプセル材料によって少なくとも部分的に囲まれる前記発光デバイスを使用して、紫外（ＵＶ）線を発光する方法。
【請求項３２】
前記カプセル材料の範囲内に紫外線が浸透する長さが１００μｍ以上である、請求項３１に記載の方法。
【請求項３３】
前記発光デバイスによって発光される紫外線が、前記発光デバイスおよび前記カプセル材料との間に配置される前記バリア層によって、少なくとも部分的に前記カプセル材料に入るのを防止される、請求項３１に記載の方法。
【請求項３４】
前記バリア層が前記発光デバイスに隣接して配置される前記第２のカプセル材料を含む、請求項３３に記載の方法。
【請求項３５】
前記第２のカプセル材料が、前記発光デバイスによって発光される紫外線に対して不透過である、請求項３４に記載の方法。
【請求項３６】
前記カプセル材料が前記発光デバイスによって発光される紫外線を実質的に透過する、請求項３５に記載の方法。
【請求項３７】
前記カプセル材料が前記発光デバイスによって発光される紫外線に対して不透過である、請求項３５に記載の方法。
【請求項３８】
前記カプセル材料および前記第２のカプセル材料が同一材料を含む、請求項３７に記載の方法。
【請求項３９】
前記第２のカプセル材料の範囲内に紫外線が浸透する長さが２５μｍ未満である、請求項３５に記載の方法。
【請求項４０】
前記第２のカプセル材料の範囲内に紫外線が浸透長さが１０μｍ未満である、請求項３５に記載の方法。
【請求項４１】
前記バリア層が前記発光デバイスによって発光される紫外線に対して反射する材料を含む、請求項３３に記載の方法。
【請求項４２】
前記バリア層がアルミニウムを含む、請求項４１に記載の方法。
【請求項４３】
前記カプセル材料の少なくとも一部が前記発光デバイスによって発光される紫外線を実質的に透過する、請求項４１に記載の方法。
【請求項４４】
前記カプセル材料の少なくとも一部が前記発光デバイスによって発光される紫外線に対して不透過である、請求項４１に記載の方法。
【請求項４５】
前記発光デバイスによって発光される紫外線が、２６５ｎｍ以下の波長を有する、請求項３１に記載の方法。
【請求項４６】
固い無機レンズが前記発光デバイスより上に配置されて、前記カプセル材料から少なくとも部分的に突き出る、請求項３１に記載の方法。
【請求項４７】
前記レンズが、石英、溶融シリカまたはサファイヤの少なくとも１つを含む、請求項４６に記載の方法。
【請求項４８】
前記カプセル材料の上面が少なくとも０．０５ｍｍだけ前記レンズの底面より上に配置される、請求項４６に記載の方法
【請求項４９】
前記発光デバイスに向けて前記レンズ上に下向きの力を加えることをさらに含む、請求項４６に記載の方法。
【請求項５０】
前記下向きの力の少なくとも一部が前記カプセル材料によって加えられる、請求項４９に記載の方法。
【請求項５１】
前記下向きの力の大きさが０．１Ｎより大である、請求項４９に記載の方法。
【請求項５２】
薄いインタフェース材料が前記レンズおよび前記発光デバイスとの間に配置される、請求項４６に記載の方法。
【請求項５３】
前記インタフェース材料が、５μｍ未満の厚みを有する、請求項５２に記載の方法。
【請求項５４】
前記インタフェース材料がシリコーンを含む、請求項５２に記載の方法。
【請求項５５】
少なくとも前記カプセル材料の一部が前記発光デバイスに向けて前記レンズ上に下向きの力を加える、請求項５２に記載の方法。
【請求項５６】
前記下向きの力の大きさが０．１Ｎより大である、請求項５５に記載の方法。
【請求項５７】
前記発光デバイスが発光ダイオードを含む、請求項３１に記載の方法。
【請求項５８】
前記カプセル材料が熱収縮性の材料を含む、請求項３１に記載の方法。
【請求項５９】
前記カプセル材料が、ポリテトラフルオロエチレン、ポリエーテルエーテルケトンまたはパーフルオロ・アルコキシ・アルカンの少なくとも１つの樹脂を含む、請求項３１に記載の方法。
【請求項６０】
前記カプセル材料がエポキシ樹脂を含む、請求項３１に記載の方法。